(57)【要約】      （修正有）【課題】着衣時においても使用可能で、心理的負担なく使用することができる骨盤底筋強化装置を提供する。【解決手段】ユーザーの会陰部に敷いて座れるように、前後方に長く形成された上部ボディー１１と、前記上部ボディー１１がユーザーの骨盤底筋の中央部を上に押し上げて『ｎ』字型に反転させるように、前記上部ボディー１１を支持する支持台１５と、前記上部ボディー１１と支持台１５との間に設置される高さ調節手段５０と、前記高さ調節手段５０の上端部または下端部に連結される筋力伝達部材と、ユーザーが反転された自分の骨盤底筋を収縮するとき、筋肉の収縮力によって前記上部ボディー１１を下に押し出す力や圧力を感知する筋力感知手段と、前記筋力感知手段を通じて感知された力や圧力データを外部に表示するようにデータを伝送する制御部８０とを含んで構成されたことを特徴とする骨盤底筋強化装置。【選択図】図２
2020103955.tif 000002
【特許請求の範囲】
【請求項１】
ユーザーの会陰部に敷いて座れるように、前後方に長く形成された上部ボディー（１１）と；
前記上部ボディー（１１）をユーザーが敷いて座ると、前記上部ボディー（１１）がユーザーの骨盤底筋（Ｐ）の中央部を上に押し上げて『ｎ』字型に反転させるように、前記上部ボディー（１１）を支持する支持台（１５）と；
前記上部ボディー（１１）と支持台（１５）との間に設置され、前記上部ボディー（１１）を所望の高さまで持ち上げて着席者の骨盤底筋（Ｐ）に加えられる圧迫強度を調節するための高さ調節手段（５０）と；
前記高さ調節手段（５０）の上端部または下端部に連結され、前記上部ボディー（１１）に並設される筋力伝達部材（７５）と；
前記筋力伝達部材（７５）の前方端部と後方端部にそれぞれ連設され、ユーザーが反転された自分の骨盤底筋（Ｐ）を収縮するとき、筋肉の収縮力によって前記上部ボディー（１１）を下に押し出す力や圧力を感知する筋力感知手段（７０）と；
前記筋力感知手段（７０）を通じて感知された力や圧力データを外部に表示するようにデータを伝送する制御部（８０）とを含んで構成されたことを特徴とする骨盤底筋強化装置。
【発明の詳細な説明】
【技術分野】
【０００１】
本発明は、ユーザーの骨盤底筋を強化して尿失禁、便失禁などを治療するための骨盤底筋強化装置に関し、さらに詳しくは、ユーザーが着衣時においても使用可能であり、ユーザーの心理的負担なく気軽に使用することができ、使用後にユーザーの尿道と肛門の周辺、装置の外観にも異物が残ることなく、清潔に使用できることはもちろん、高さ調節手段を通じて装置の電極部が膀胱と骨盤底筋に近接するように、加圧密着された状態で治療することができ、低周波パルスを通じた受動的運動と筋力感知手段を通じた能動的運動を並行することができるので、治療効果を向上することができる骨盤底筋強化装置に関する。
【背景技術】
【０００２】
一般的に、尿失禁は、自分の意志と関係なく尿が漏れる疾患で、成人女性の３０〜４０％に至る非常に多い患者が苦しんでいる疾患でありながらも、全患者の２３％のみが受診しているなど、疾患について他人に打ち明けづらいという特性がある。
【０００３】
したがって、この分野の治療器は、他の如何なる機器に比べてもユーザーに羞恥心を感じさせずに負担なく使用することができ、様々な治療ができるものが、最近、高齢化と共に急速に増加しているこの分野におけるニーズを満足させて波及効果が大きいと期待される。
【０００４】
ところが、従来の尿失禁治療器は、小さな器具を女性の膣内に挿入して低周波パルスを印加する挿入型治療器が主流となっており、使用しにくく不便であり、羞恥心を誘発するなど大きな問題点があった。
【０００５】
その外にも、このような膣内挿入に伴う問題点を解決するため、座布団型の治療器も開発されているが、この座布団型治療器は、座布団の中央に電極を形成し、この電極の上に服を脱いで座ると、着座者の骨盤底筋に低周波パルスが印加されて受動的運動を誘導するものである。しかし、このような座布団型治療器も膣内挿入に伴う問題点は解決している。しかし、治療のためには、依然として下着まで脱いで座布団の上に座ることで、電極が会陰部に接触して低周波パルスを印加することができるという問題点が残っている。したがって、依然として、ユーザーが使用場所で脱衣し、一人で隠密に使用するしかなく、使用時に羞恥心を刺激する問題点も常在した。
【０００６】
また、従来の低周波治療器は、通常、クリームやゲルなどの伝導性物質を電極の表面に塗布した後に使用するが、使用後には残留した異物を除去しなければならない不都合があった。しかしながら、このような伝導性物質を用いない場合、電気刺激が人体にまともに伝達されないか、ばらついた電気伝導による刺激性の痛みが生じる。
【０００７】
また、既存の低周波治療器は、低周波パルスを通じて骨盤底筋を受動的にのみ収縮・弛緩させるもので、筋肉の弾力は増加できても筋肉の強度を大きく強化させるまでは力が及ばないデメリットがある。すなわち、どんな筋肉でも筋肉を強化するためには、自分で直接筋肉を収縮・弛緩する能動的運動が必ず必要であり、低周波パルスを通じる受動的運動のみでは筋肉の強度を増加させるには限りがある。
【発明の概要】
【発明が解決しようとする課題】
【０００８】
本発明は、前記の問題点を解決するためのものであって、本発明は、ユーザーが着衣時においても使用可能であり、ユーザーの心理的負担なく気軽に使用することができ、使用後にユーザーの尿道と肛門の周辺、装置の外観にも異物が残ることなく、清潔に使用できることはもちろん、高さ調節手段を通じて装置の電極部が膀胱と骨盤底筋に近接するように、加圧密着された状態で治療することができ、低周波パルスを通じる受動的運動と筋力感知手段を通じる能動的運動を並行することができるので、治療効果を向上することができる骨盤底筋強化装置を提供することに、その目的がある。
【課題を解決するための手段】
【０００９】
本発明の特徴によれば、ユーザーの下着（Ｉ）の内側に入れて、会陰部に敷いて座れるように前後方に長く形成された胴体（１０）と；
【００１０】
前記胴体（１０）の上側に配置され、ユーザーの会陰部に電気的刺激を印加する２つ以上の電極部（２０）と；
前記胴体（１０）の両側に設置され、胴体（１０）から撓んで離隔されると、胴体（１０）との間に伝導性シート（Ｓ）を挿入して固定できる隙間が生じる可撓性の蓋（３０）とを含んで構成され；
前記伝導性シート（Ｓ）は、前記電極部（２０）に被せてユーザーに電気的刺激を円滑に伝達させることはもちろん、前記伝導性シート（Ｓ）の下端部は、可撓性の蓋（３０）の内側へ押し込まれ、ユーザーの下着（Ｉ）と接触しないので、よりきれいで清潔に使用することができ、前記伝導性シート（Ｓ）のみ取り換えれば、尿道と肛門の周辺、治療器自体の汚染を防止できることを特徴とする骨盤底筋強化装置が提供される。
【００１１】
本発明の他の特徴によれば、前記伝導性シート（Ｓ）は、水分が含浸された含水性シートからなることを特徴とする骨盤底筋強化装置が提供される。
【００１２】
本発明のさらに他の特徴によれば、前記胴体（１０）は、上側の上部ボディー（１１）と下側の支持台（１５）に分割形成され；
前記上部ボディー（１１）と支持台（１５）との間には、前記上部ボディー（１１）を所望の高さまで持ち上げる高さ調節手段（５０）がさらに備えられ、前記上部ボディー（１１）の電極部（２０）をユーザーの膀胱と骨盤底筋（Ｐ）により近接するように、加圧密着させて低周波パルスを印加できることを特徴とする骨盤底筋強化装置が提供される。
【００１３】
本発明のさらに他の特徴によれば、前記高さ調節手段（５０）は、支持台（１５）の中央に上側に垂直設置された第１螺旋部材（５３）と；
前記上部ボディー（１１）の中央に下側に垂直設置され、前記第１螺旋部材（５３）と噛み合う第２螺旋部材（５１）と；
前記支持台（１５）の底面中央に凹に形成された収納溝（１６）と；
前記収納溝（１６）に位置され、前記第１螺旋部材（５３）に連結された取っ手（５５）とから構成され、前記取っ手（５５）は、支持台（１５）の底面に突出されていないため、前記胴体（１０）を安定的に地面に置いて使用すると共に、簡便に回して高さを調節できることを特徴とする骨盤底筋強化装置が提供される。
【００１４】
本発明のさらに他の特徴によれば、ユーザーの下着（Ｉ）の内側に入れて、会陰部に敷いて座れるように、前後方に長く形成された胴体（１０）と；
前記胴体（１０）の上側に配置され、ユーザーの会陰部に電気的刺激を印加する２つ以上の電極部（２０）と；
前記胴体（１０）の下側に結合され、胴体（１０）との間に伝導性シート（Ｓ）の端部を位置させて覆って固定することができる受け板（４０）とを含んで構成され；
前記電極部（２０）に伝導性シート（Ｓ）を被せてユーザーに電気的刺激を円滑に伝達させることはもちろん、前記伝導性シート（Ｓ）の両側端部は、前記受け板（４０）によって覆われ、下着（Ｉ）と接触しないので、よりきれい
で清潔に使用することができ、前記伝導性シート（Ｓ）のみ取り換えれば、尿道と肛門の周辺、治療器自体の汚染を防止できることを特徴とする骨盤底筋強化装置が提供される。
【００１５】
本発明のさらに他の特徴によれば、前記胴体（１０）と受け板（４０）には、互いに対応する位置に磁石（６０）を設置して磁力によって結合された状態を維持し、前記磁石（６０）によって前記胴体（１０）と受け板（４０）との間に挿入された伝導性シート（Ｓ）を堅固に固定できることを特徴とする骨盤底筋強化装置が提供される。
【００１６】
本発明のさらに他の特徴によれば、前記胴体（１０）は、上側の上部ボディー（１１）と下側の支持台（１５）に分割形成され；
前記上部ボディー（１１）と支持台（１５）との間には、前記上部ボディー（１１）を所望の高さまで持ち上げる高さ調節手段（５０）がさらに備えられ、前記上部ボディー（１１）の電極部（２０）をユーザーの膀胱と骨盤底筋（Ｐ）により近接するように、加圧密着させて低周波パルスを印加できることを特徴とする骨盤底筋強化装置が提供される。
【００１７】
本発明のさらに他の特徴によれば、前記高さ調節手段（５０）は、支持台（１５）の中央に上側に垂直設置された第１螺旋部材（５３）と；
前記上部ボディー（１１）の中央に下側に垂直設置され、前記第１螺旋部材（５３）と噛み合う第２螺旋部材（５１）と；
前記支持台（１５）の底面中央に凹に形成された収納溝（１６）と；
前記収納溝（１６）に位置され、前記第１螺旋部材（５３）に連結された取っ手（５５）とから構成され、前記取っ手（５５）は、支持台（１５）の底面に突出されていないため、前記胴体（１０）を安定的に地面に置いて使用すると共に、簡便に回して高さを調節できることを特徴とする骨盤底筋強化装置が提供される。
【００１８】
本発明のさらに他の特徴によれば、ユーザーの会陰部に敷いて座れるように、前後方に長く形成された上部ボディー（１１）と；
前記上部ボディー（１１）の上に配置され、ユーザーの会陰部に電気的刺激を印加する２つ以上の電極部（２０）と；
前記上部ボディー（１１）をユーザーが敷いて座ると、前記上部ボディー（１１）がユーザーの骨盤底筋（Ｐ）の中央部を上に押し上げて『ｎ』字型に反転させるように、前記上部ボディー（１１）を支持する支持台（１５）と；
前記支持台（１５）の上側または下側に設置され、ユーザーが反転された自分の骨盤底筋（Ｐ）を収縮するとき、筋肉の収縮力によって前記上部ボディー（１１）を下に押し出す力や圧力を感知する筋力感知手段（７０）と；
前記筋力感知手段（７０）を通じて感知された力や圧力データを外部に伝達して表示させる制御部（８０）とを含んで構成され；
ユーザーは、前記電極部（２０）を通じる受動的電気刺激と前記筋力感知手段（７０）を通じる能動的筋力運動を必要に応じて選択して行えることを特徴とする骨盤底筋強化装置が提供される。
【００１９】
本発明のさらに他の特徴によれば、前記上部ボディー（１１）と支持台（１５）との間には、前記上部ボディー（１１）を所望の高さに調節して支持するための高さ調節手段（５０）がさらに備えられ、着席者の骨盤底筋（Ｐ）の圧迫強度を前記高さ調節手段（５０）によって簡便に調節できることを特徴とする骨盤底筋強化装置が提供される。
【００２０】
本発明のさらに他の特徴によれば、ユーザーの会陰部に敷いて座れるように、前後方に長く形成された上部ボディー（１１）と；
前記上部ボディー（１１）をユーザーが敷いて座ると、前記上部ボディー（１１）がユーザーの骨盤底筋（Ｐ）の中央部を上に押し上げて『ｎ』字型に反転させるように、前記上部ボディー（１１）を支持する支持台（１５）と；
前記上部ボディー（１１）と支持台（１５）との間に設置され、前記上部ボディー（１１）を所望の高さまで持ち上げて着席者の骨盤底筋（Ｐ）に加えられる圧迫強度を調節するための高さ調節手段（５０）と；
前記高さ調節手段（５０）の上端部または下端部に連結され、前記上部ボディー（１１）に並設される筋力伝達部材（７５）と；
前記筋力伝達部材（７５）の前方端部と後方端部にそれぞれ連設され、ユーザーが反転された自分の骨盤底筋（Ｐ）を収縮するとき、筋肉の収縮力によって前記上部ボディー（１１）を下に押し出す力や圧力を感知する筋力感知手段（７０）と；
前記筋力感知手段（７０）を通じて感知された力や圧力データを外部に表示するようにデータを伝送する制御部（８０）とを含んで構成されたことを特徴とする骨盤底筋強化装置が提供される。
【発明の効果】
【００２１】
以上のような本発明によれば、ユーザーが着衣時においても、心理的負担なく安心して製品を使用することができるので、従来、服を脱いで隠蔽された空間のみで使用しなければならなかった問題点を解消できる。
【００２２】
また、本発明は、胴体（１０）の上側に伝導性シート（Ｓ）を被せて電気的刺激をユーザーの会陰部に円滑に伝達できることはもちろん、水分を含浸した伝導性シート（Ｓ）を用いるため、別の伝導性クリームとゲルを使用しなくて済むので、尿道と肛門の周辺、治療器自体にも使用後の異物が残らないので、簡便で清潔に使用することができる。
【００２３】
さらに、本発明は、水分を含浸した伝導性シート（Ｓ）を胴体（１０）に被せて使用しても前記伝導性シート（Ｓ）の下端部が下着（Ｉ）と直接接触しないように、可撓性の蓋（３０）または受け板（４０）などによってきれいにカバーされるので、下着（Ｉ）が濡れることなく、よりきれいで清潔に使用することができる。また、前記伝導性シート（Ｓ）が浮き上がることなく、可撓性の蓋（３０）または受け板（４０）によってきれいに整理されて固定されるので、服の中に入れるにも便利である。
【００２４】
また、本発明は、胴体（１０）の上面の電極部（２０）を所望の高さに調節する高さ調節手段（５０）が備えられ、ユーザーの身体的特性によって前記電極部（２０）を膀胱と骨盤底筋（Ｐ）に近接するように、加圧密着された状態で低周波パルスを印加することができ、目標の部位の電気伝導性を高める効果もある。
【００２５】
また、本発明は、低周波パルスを用いた受動的運動と筋力感知手段を通じる能動的筋力運動を並行することができるので、骨盤底筋（Ｐ）の回復効果が大きく向上するメリットがある。
【００２６】
その外にも、本発明は、下着（Ｉ）の内側の会陰部に入れて使用するもので、そのサイズがコンパクトであり、いつでもどこでも簡便に携帯することができ、構成も簡素化しており、製品の単価を大きく低減することができる。
【図面の簡単な説明】
【００２７】
【図１】本発明による装置を図示した斜視図
【図２】本発明の一実施例による正断面図
【図３】本発明の他の実施例による正断面図
【図４】本発明のさらに他の実施例による側断面図
【図５】本発明のさらに他の実施例による側断面図
【図６】本発明のさらに他の実施例による正断面図
【発明を実施するための形態】
【００２８】
以下、本発明を添付した図面を参照して詳しく説明する。
【００２９】
図１ないし図６は、本発明の様々な実施例を図示したものである。本発明の一実施例は、図１と図２のように、ユーザーの下着（Ｉ）の内側に入れて、会陰部に敷いて座れるように、前後方に長く形成された胴体（１０）と、前記胴体（１０）の上側に配置され、ユーザーの会陰部に低周波パルスを印加する２つ以上の電極部（２０）と、前記胴体（１０）の両側に設置され、胴体（１０）から撓みながら離隔され、胴体（１０）との間に伝導性シート（Ｓ）の端部を挿入固定できるように隙間が生じる可撓性の蓋（３０）とを含んで構成される。
【００３０】
前記胴体（１０）は、ユーザーの下着（Ｉ）の内側に入れて、会陰部に敷いて座れるように、幅が狭くて前後方に長く延設されたもので、上側の上部ボディー（１１）と下側の支持台（１５）に分割形成される。前記上部ボディー（１１）と支持台（１５）との間には、制御部（８０）が内蔵され、上部ボディー（１１）の上面には、シリコン材質のクッション部材が設置される。また、前記上部ボディー（１１）と支持台（１５）との間には、前記上部ボディー（１１）を所望の高さまで持ち上げる高さ調節手段（５０）がさらに備えられ、前記電極部（２０）を膀胱と骨盤底筋により近接するように、加圧密着させて低周波パルスを印加することができる。
【００３１】
前記高さ調節手段（５０）は、支持台（１５）の中央に上側に垂直設置された第１螺旋部材（５３）と、前記上部ボディー（１１）の中央に下側に垂直設置され、第１螺旋部材（５３）と噛み合う第２螺旋部材（５１）と、前記支持台（１５）の底面中央に凹に形成された収納溝（１６）と、前記収納溝（１６）に収納され、前記第１螺旋部材（５３）に連結された取っ手（５５）とから構成され、前記取っ手（５５）が支持台（１５）の底面に突出されていないため、前記胴体（１０）を安定的に地面に置いて使用することができ、取っ手（５５）を回して簡便に高さを調節することができる。
【００３２】
前記電極部（２０）は、胴体（１０）の上側に露出するように、胴体（１０）の前後方の上面に所定の間隔で離隔するように設置された少なくとも一対の部材であって、ユーザーの会陰部の前方と後方にそれぞれ接触して骨盤底筋に低周波パルスを印加して受動的運動を誘発するためのものである。このような電極部（２０）は、制御部（８０）から供給される低周波パルスを人体に上手く伝達できるように、金属材質あるいはカーボンを混合したシリコンなどの伝導性材質を使用する。
【００３３】
前記可撓性の蓋（３０）は、シリコンなどの撓み可能なバンド型からなり、胴体（１０）の周りにはめて設置されるかまたは板状に製作されて胴体（１０）の両側面に固定設置される。このような可撓性の蓋（３０）は、その下端部が胴体（１０）から撓みながら離隔され、胴体（１０）との間に隙間が生じ、この隙間に前記伝導性シート（Ｓ）の両側端部を挟み込んできれいに固定するためのものである。
【００３４】
前記伝導性シート（Ｓ）は、胴体（１０）の上側の電極部（２０）に被せて電極部（２０）から供給される低周波パルスを人体に円滑に伝達させるもので、ウェットティッシュやおしぼりなどを使用することができる。このような伝導性シート（Ｓ）は、電極部（２０）の低周波パルスを会陰部に円滑に伝達させることはもちろん、水分を含浸した材料を用いるので、使用後でも尿道と肛門の周辺に伝導性クリームやゲルなどの異物が残らないので、簡便で清潔に使用することができ、伝導性シート（Ｓ）のみ取り換えれば、尿道及び肛門の汚染物質によって治療器自体が汚染することも防止できるなど多くのメリットがある。
【００３５】
前記制御部（８０）は、内部バッテリー（８５）に連結され、前記電極部（２０）に低周波パルスを供給するためのもので、マイコンと、低周波発生回路、通信回路などが含まれ、スマートホンまたはコンピューター、リモートコントロールなどの外部器機に連結され信号入力されて、動作状態を外部にディスプレーすることができる。
【００３６】
以上の構成による一実施例の作動例について説明すると、次のとおりである。
【００３７】
本発明の一実施例は、水分が含浸された伝導性シート（Ｓ）を胴体（１０）の上面の電極部（２０）に被せた状態で、この伝導性シート（Ｓ）の両側端部を胴体（１０）と可撓性の蓋（３０）との間の隙間に押し込むと、前記伝導性シート（Ｓ）が胴体（１０）の上側を取り囲んだ状態で、きれいに整理されて固定される。このようにすると、前記伝導性シート（Ｓ）を胴体（１０）の上面と両側面に被せるだけで、ユーザーの下着（Ｉ）とは直接接触しないので、よりきれいで清潔に使用することができる。
【００３８】
続いて、前記胴体（１０）をユーザーの下着（Ｉ）の内側に入れて、ユーザーの会陰部に位置させて敷いて座ると、ユーザーの会陰部が胴体（１０）の高さほど上に持ち上げられながら、加圧密着される。このとき、前記胴体（１０）には、上部ボディー（１１）を所望の高さに調節する高さ調節手段（５０）が備えられ、ユーザーの身体的特性によって胴体（１０）の高さを調節して前記電極部（２０）が目標部位である膀胱と骨盤底筋に近接するように、加圧密着された状態で低周波パルスを印加することができ、目標部位の電気伝導性が高くなる効果もある。
【００３９】
続いて、ユーザーは、スマートホンやコンピューター、リモートコントロールなどの外部器機を通じて前記制御部（８０）に周波数と強度、時間などの信号を入力すると、着衣時においてもユーザーの骨盤底筋に所望の低周波パルスを印加することができるので、使用の便宜性が大きく向上し、誰で安心して使用することができるメリットがある。
【００４０】
その外にも前記胴体（１０）の上側は、水分を含浸した伝導性シート（Ｓ）を被せ、電極部（２０）の低周波パルスを会陰部に円滑に伝達させることはもちろん、前記伝導性シート（Ｓ）のみ取り換えれば治療器自体が肛門と尿道の汚染物質によって汚染することを防止することができ、使用後でも尿道と肛門の周辺に伝導性クリームやゲルなどの異物が残らないので、簡便で清潔に使用することができる。また、前記ウェットティッシュなどの伝導性シート（Ｓ）は、既存のゲルタイブの電極パッドに比べて費用が節減される効果もある。
【００４１】
本発明の他の実施例は、図３のように、ユーザーの下着（Ｉ）の内側に入れて、会陰部に敷いて座れるように、前後方に長く形成された胴体（１０）と、前記胴体（１０）の上側に配置され、ユーザーの会陰部に低周波パルスを印加する２つ以上の電極部（２０）と、この電極部（２０）に被せる伝導性シート（Ｓ）と、前記電極部（２０）が膀胱と骨盤底筋により近接するように、加圧密着させる高さ調節手段（５０）などは一実施例と同一又は類似する。
【００４２】
一方、他の実施例は、前記胴体（１０）の下側に板状からなる受け板（４０）が着脱可能に備えられ、前記胴体（１０）に被せた伝導性シート（Ｓ）の両側端部を胴体（１０）と受け板（４０）との間に位置させ、受け板（４０）で覆って固定できるように構成される。また、前記胴体（１０）と受け板（４０）には、互いに対応する位置に磁石（６０）を設置して磁力によって前記胴体（１０）と受け板（４０）とが互いに結合されると、その間に挿入された伝導性シート（Ｓ）が堅固に固定される。
【００４３】
以上の構成による他の実施例の作動状態について検討すると、水分が含浸された伝導性シート（Ｓ）で胴体（１０）の上面と両側面とを取り囲んだ状態で、伝導性シート（Ｓ）の両側端部を底面に位置させた後、前記受け板（４０）で胴体（１０）の底面を覆う。このようにすると、前記伝導性シート（Ｓ）が胴体（１０）を完全に取り囲んだ状態でも受け板（４０）によって覆われ、下着（Ｉ）と直接接触しないので、下着（Ｉ）を濡らすことなく、より清潔できれいに使用することができる。このとき、前記受け板（４０）は、磁石（６０）によって胴体（１０）と結合された状態を堅固に維持することができる。
【００４４】
続いて、前記胴体（１０）をユーザーの下着（Ｉ）の内側に入れて、敷いて着座した状態で、スマートホンやコンピューターなどの外部器機を通じて周波数、強度、時間などを調節することができ、着衣時においても、安心して便利に使用することができる。また、高さ調節手段（５０）を通じて前記電極部（２０）を膀胱と骨盤底筋に近接するように、加圧密着させた状態で低周波パルスを印加することができ、目標部位の電気伝導性を高める効果もある。
【００４５】
本発明のさらに他の実施例は、図４ないし図６のように、ユーザーの会陰部に敷いて座れるように、前後方に長く形成された上部ボディー（１１）と、前記上部ボディー（１１）の上に配置され、ユーザーの会陰部に電気的刺激を印加する２つ以上の電極部（２０）と、前記上部ボディー（１１）をユーザーが敷いて座ると、前記上部ボディー（１１）がユーザーの骨盤底筋（Ｐ）の中央部を上に押し上げて『ｎ』字型に反転させるように、前記上部ボディー（１１）を持ち上げて支持する支持台（１５）と、前記支持台（１５）の上面または下面に設置され、ユーザーが反転された自分の骨盤底筋（Ｐ）を収縮するとき、筋肉の収縮力によって前記上部ボディー（１１）を下に押し出す力や圧力を感知する筋力感知手段（７０）と、前記筋力感知手段（７０）を通じて感知された力や圧力データを外部に伝達して表示させる制御部（８０）が含まれて構成され、ユーザーは、必要に応じて前記電極部（２０）を通じる受動的電気刺激と前記筋力感知手段（７０）を通じる能動的骨盤底筋の収縮運動を選択して行えるように構成されたものである。
【００４６】
前記上部ボディー（１１）と支持台（１５）との間には、前記上部ボディー（１１）を所望の高さに調節して支持するための高さ調節手段（５０）がさらに備えられ、着席者の骨盤底筋（Ｐ）の圧迫強度を前記高さ調節手段（５０）によって簡便に調節できるように構成される。
【００４７】
以上の上部ボディー（１１）と、電極部（２０）、高さ調節手段（５０）などは一実施例と同一又は類似するので、詳細な説明を省略することにする。
【００４８】
一方、前記筋力感知手段（７０）は、図４のように、前記支持台（１５）の上面に設置され、前記上部ボディー（１１）に内蔵された状態で、コンパクトな一つの胴体（１０）を形成して携帯性を強化することもできる。また、前記筋力感知手段（７０）は、図５のように、胴体（１０）とは別個に前記支持台（１５）の底面で装置を全体として支持することもできる。
【００４９】
具体的に、図４に示すように、前記筋力感知手段（７０）は、前記上部ボディー（１１）と支持台（１５）との間に内蔵され、前記筋力感知手段（７０）の上面には、感知圧力を測定できるように筋力伝達部材（７５）が設置されるが、前記筋力伝達部材（７５）は、前記高さ調節手段（５０）の上端部または下端部に水平連結されるものである。このような筋力伝達部材（７５）は、前記上部ボディー（１１）に並設され、前方端部と後方端部に筋力感知手段（７０）がそれぞれ連設される。
【００５０】
前記筋力伝達部材（７５）が高さ調節手段（５０）の下端部に位置されている場合は、筋力伝達部材（７５）と支持台（１５）との間に前記筋力感知手段（７０）が設置され、前記筋力伝達部材（７５）が高さ調節手段（５０）の上端部に設置されている場合は、筋力伝達部材（７５）と上部ボディー（１１）との間に前記筋力感知手段（７０）が設置され、骨盤底筋（Ｐ）の収縮力を感知することができる。
【００５１】
また、図５のように、前記筋力感知手段（７０）は、前記支持台（１５）の下部に位置され、広い座布団型になる底板（１３）の上に設置することができるが、この場合、前記胴体（１０）は、上部ボディー（１１）と底板（１３）とが合されてなることもでき、前記支持台（１５）は、前述の筋力伝達部材（７５）の役目をし得ることはもちろんである。
【００５２】
このような筋力感知手段（７０）と筋力伝達部材（７５）の構成及び設置位置は、ユーザーが前記上部ボディー（１１）を敷いて座ると、ユーザーの骨盤底筋（Ｐ）の中央部を上に押し上げて『ｎ』字型に反転させるように、前記上部ボディー（１１）を持ち上げて支持する役目をする。前記底板（１３）が備えられた場合、前記上部ボディー（１１）が骨盤底筋（Ｐ）の収縮力によって下に押されても広い面積で堅固に支持され、上部ボディー（１１）と支持台（１５）との間の筋力感知手段（７０）を通じて骨盤底筋（Ｐ）の収縮力を減殺することなく、正確に感知することができる。すなわち、ユーザーがスポンジなどのクッション部材に座って製品を使用しても、広い面積の底板（１３）が上部ボディー（１１）を充分に支持し、骨盤底筋（Ｐ）の収縮力が前記筋力感知手段（７０）によって正確に感知できるように堅固に支持する役目をする。
【００５３】
前記筋力感知手段（７０）は、骨盤底筋（Ｐ）の収縮力を力または圧力単位で感知するためのセンサーであって、ユーザーが前記胴体（１０）を敷いて座ると、図６のように、前記胴体（１０）によってユーザーの骨盤底筋（Ｐ）が上に押し上げられて『ｎ』字型に反転され、このような状況でユーザーが上に押し上げられた自分の骨盤底筋（Ｐ）を収縮すれば、骨盤底筋（Ｐ）の収縮による垂直分力が胴体（１０）を通じて筋力感知手段（７０）に伝達され、筋力感知手段（７０）は、感知された信号を制御部（８０）に伝達することができる。
【００５４】
前記制御部（８０）は、内蔵されたバッテリー（８５）に連結され、前記電極部（２０）に低周波パルスを印加する役目以外にも、前記筋力感知手段（７０）を通じて感知された骨盤底筋（Ｐ）の収縮力データを信号処理してブザーやスマートホン、コンピューターなどの外部器機（Ｏ）に伝送する役目もする。したがって、ユーザーは、自分の骨盤底筋（Ｐ）が収縮して弛緩する程度をブザーや、スマートホン、コンピューターなどを通じて目や耳で直接確認しながら興味を持って能動的な骨盤底筋の収縮運動を持続することができる。
【００５５】
以上の構成による実施例の作動状態について説明すると、次のとおりである。
【００５６】
図６のように、水分が含浸された伝導性シート（Ｓ）で胴体（１０）の上面と両側面とを完全に取り囲んだ状態で、伝導性シート（Ｓ）の両側端部を胴体（１０）の底面に位置させた後、前記受け板（４０）で胴体（１０）の底面を覆う。
【００５７】
続いて、前記胴体（１０）をユーザーの下着（Ｉ）の内側に入れて、敷いて着座した状態で、スマートホンやコンピューターなどの外部器機（Ｏ）を通じて周波数、強度、時間などを調節して、着衣時においても低周波パルスを用いて骨盤底筋（Ｐ）の受動的運動を誘導することができる。また、ユーザーの身体的特性によって前記高さ調節手段（５０）を通じて電極部（２０）の加圧密着状態を簡便に調節することができる。
【００５８】
一方、本発明の他の実施例は、着席者の骨盤底筋（Ｐ）の中央部が前記胴体（１０）によって上に押し上げられて『ｎ』字型に反転され、このような状態で、ユーザーが自分の骨盤底筋（Ｐ）を収縮すると、収縮による垂直分力が上部ボディー（１１）によって図４や図５の筋力感知手段（７０）に伝達されて感知され、この信号は、制御部（８０）で信号処理され、ブザーやスマートホン、タブレットＰＣ、コンピューターなどの外部器機（Ｏ）に伝達され、骨盤底筋（Ｐ）の収縮及び弛緩程度をユーザーが目や耳で直接確認しながら興味を持って能動的な筋力運動を持続することができる。
【００５９】
このとき、ユーザーが上部ボディー（１１）の真中に着席することはよほど難しいものではなく、前後方のいずれか一方に偏って座れるようになるが、このように一方に偏って座っても筋力伝達部材（７５）の前後方端部にそれぞれ筋力感知手段（７０）が設置されているので、２箇所の測定値を合わせれば位置に関係なく常に正確な測定値を得ることができる。
【００６０】
さらに、骨盤底筋（Ｐ）は、普段使用していなかった筋肉であるので、意図的に収縮させることは難しく感じられるが、このように骨盤底筋（Ｐ）が収縮して弛緩する程度を目や耳で確認しながら収縮運動をすると、どのようにすれば自分の骨盤底筋（Ｐ）が収縮して弛緩するかを容易で正確に習い取ることができるので、とても効果的な運動方法となる。
【００６１】
したがって、本発明の実施例は、低周波パルスを用いた受動的運動と前記筋力感知手段（７０）を通じる能動的筋力運動を並行することができるので、骨盤底筋（Ｐ）の回復効果が大きく向上するメリットがある。
【００６２】
以上の本発明は、骨盤底筋（Ｐ）を簡便で効果的に回復強化するためのもので、尿失禁だけでなく、骨盤筋肉の障害に関連する便秘、便失禁、性機能の改善、前立腺疾患など様々な治療が可能であり、いずれも本発明の活用例に含まれる。
【図１】
2020103955.tif 000003
【図２】
2020103955.tif 000004
【図３】
2020103955.tif 000005
【図４】
2020103955.tif 000006
【図５】
2020103955.tif 000007
【図６】
2020103955.tif 000008